(57)【要約】【課題】インナーパッドを肌当接面に固定することができ、パッドに体液を確実に吸収保持させることができる使い捨て着用物品を提供する。【解決手段】使い捨て着用物品２０では、インナーパッド３１を物品２０の肌当接面に押し当てる横方向へ長い伸縮性バンド３２が前胴周り域２１と後胴周り域２３とにおける物品２０の肌当接面に伸縮可能に取り付けられている。バンド３２は、物品２０の両側部２５に位置して防漏シート４１の可動部４６に固着された固定両端部５７と、固定両端部５７の間に位置して物品２０に非固着の自由伸縮部５８とから形成されている。物品２０では、バンド３２によってパッド３１が物品２０の肌当接面に押し当てられ、パッド３１がバンド３２を介して物品２０の肌当接面に固定される。【選択図】図１
2006167004.tif 000002
【特許請求の範囲】
【請求項１】
前胴周り域および後胴周り域と、それら胴周り域の間に位置する股下域と、横方向へ延びる両端部および縦方向へ延びる両側部とを有し、体液を吸収保持する吸収性インナーパッドを肌当接面に装着して該インナーパッドとともに着用する使い捨て着用物品において、
前記インナーパッドを前記物品の肌当接面に押し当てる横方向へ長い伸縮性バンドが、前記前胴周り域と前記後胴周り域とのうちの少なくとも一方における前記物品の肌当接面に伸縮可能に取り付けられ、前記伸縮性バンドが、前記両側部に位置して前記物品に固着された固定両端部と、前記固定両端部の間に位置して前記物品に非固着の自由伸縮部とから形成されていることを特徴とする前記着用物品。
【請求項２】
前記物品が、前記両側部に位置して前記前後胴周り域間に延びる一対の液抵抗性防漏シートを有し、前記防漏シートが、前記両側部に固着されて縦方向へ延びる固定部と、前記固定部に並行して縦方向へ延びていて前記肌当接面の上方へ起立性向を有する伸縮性可動部と、横方向へ倒伏して前記前後胴周り域に固着された固定両端縁部とから形成され、前記伸縮性バンドの固定両端部が、前記防漏シートの可動部に固着されている請求項１記載の着用物品。
【請求項３】
前記物品では、伸縮性バンドの自由伸縮部を横方向へ所定の倍率に伸長させた状態で該バンドの固定両端部が前記物品に固着されている請求項１または請求項２に記載の着用物品。
【請求項４】
剥離紙に被覆保護された粘着剤が、前記自由伸縮部の肌非当接面に塗布され、前記伸縮性バンドが、前記粘着剤を介して前記インナーパッドに着脱可能に連結される請求項１ないし請求項３いずれかに記載の着用物品。
【請求項５】
複数のフックを有する雄型のメカニカルファスナが、前記自由伸縮部の肌非当接面に取り付けられ、前記伸縮性バンドが、前記メカニカルファスナを介して前記インナーパッドに着脱可能に連結される請求項１ないし請求項３いずれかに記載の着用物品。
【請求項６】
前記物品が、肌当接側に位置する透液性表面シートと、肌非当接側に位置する不透液性裏面シートと、前記表裏面シートの間に介在する吸液性第１コアとから形成され、前記インナーパッドが、透液性被覆シートと、前記被覆シートに包被された吸液性第２コアとから形成されている請求項１ないし請求項５いずれかに記載の着用物品。
【発明の詳細な説明】
【技術分野】
【０００１】
本発明は、吸収性インナーパッドを肌当接面に装着して該パッドとともに着用する使い捨て着用物品に関する。
【背景技術】
【０００２】
前胴周り域および後胴周り域と、それら胴周り域の間に位置する股下域と、横方向へ延びる両端部および縦方向へ延びる両側部とを有し、胴周り開口と一対の脚周り開口とが形成され、体液を吸収保持する吸収性インナーパッドを肌当接面に装着して該インナーパッドとともに着用するパンツ型の使い捨て着用物品がある（特許文献１参照）。
【０００３】
この着用物品の股下域には、横方向へ所定寸法離間して縦方向へ延びる一対の防漏シートが取り付けられている。防漏シートは、股下域の両側部に固着された固定部と、固定部に平行する可動部と、横方向内方へ倒伏して物品に固着された固定両端縁部とから形成されている。防漏シートの可動部には、縦方向へ延びる複数条の伸縮性弾性部材が伸縮可能に取り付けられている。物品では、それが肌当接面を内側にして縦方向へ湾曲すると、弾性部材が収縮して防漏シートの可動部が肌当接面の上方へ起立し、可動部が体液の横漏れを防ぐ障壁を形成する。物品は、それら防漏シートの間にインナーパッドを装着することで、パッドの両側部が防漏シートの可動部に支持される。この物品は、インナーパッドのずれ動きを防漏シートの可動部によって防止することを意図している。
【特許文献１】特開２００４−２３６７４０号公報
【発明の開示】
【発明が解決しようとする課題】
【０００４】
特許文献１に開示の着用物品では、防漏シートの可動部がインナーパッドを物品の肌当接面に押し当てることはないから、それら防漏シートを介してパッドを物品の肌当接面に固定することはできない。この物品は、防漏シートが低剛性の繊維不織布から作られているので、物品の着用中に着用者の動作が防漏シートに伝わると、防漏シートの可動部に捻れや捲れが生じ、インナーパッドが防漏シートの間から外れてずれ動いてしまう場合がある。インナーパッドがずれ動くと、パッドが排泄位置からずれ、体液がパッドに吸収されずにパッドの外側に漏れてしまう場合がある。また、この物品は、その股下域で体液を吸収保持することはできないから、多量の体液が排泄されると、パッドに吸収しきれない体液が肌当接面を拡散して物品を広範囲に汚してしまう。
【０００５】
本発明の目的は、インナーパッドを肌当接面に固定することができ、パッドのずれ動きを防ぎつつ、パッドに体液を吸収保持させることで、排泄物の漏れを防ぐことができる使い捨て着用物品を提供することにある。本発明の他の目的は、排泄された多量の体液を吸収保持することができる使い捨て着用物品を提供することにある。
【課題を解決するための手段】
【０００６】
前記課題を解決するための本発明の前提は、前胴周り域および後胴周り域と、それら胴周り域の間に位置する股下域と、横方向へ延びる両端部および縦方向へ延びる両側部とを有し、体液を吸収保持する吸収性インナーパッドを肌当接面に装着して該インナーパッドとともに着用する使い捨て着用物品である。
【０００７】
前記前提における本発明の特徴は、インナーパッドを物品の肌当接面に押し当てる横方向へ長い伸縮性バンドが前胴周り域と後胴周り域とのうちの少なくとも一方であって物品の肌当接面に伸縮可能に取り付けられ、伸縮性バンドが、物品の両側部に位置して該物品に固着された固定両端部と、固定両端部の間に位置して物品に非固着の自由伸縮部とから形成されていることにある。
【０００８】
本発明の実施態様の一例は、物品がその両側部に位置して前後胴周り域間に延びる一対の液抵抗性防漏シートを有し、防漏シートが、物品の両側部に固着されて縦方向へ延びる固定部と、固定部に並行して縦方向へ延びていて肌当接面の上方へ起立性向を有する伸縮性可動部と、横方向へ倒伏して前後胴周り域に固着された固定両端縁部とから形成され、伸縮性バンドの固定両端部が防漏シートの可動部に固着されている。
【０００９】
本発明の実施態様の他の一例として、物品では、伸縮性バンドの自由伸縮部を横方向へ所定の倍率に伸長させた状態で該バンドの固定両端部が物品に固着されている。
【００１０】
本発明の実施態様の他の一例は、剥離紙に被覆保護された粘着剤が伸縮性バンドの自由伸縮部の肌非当接面に塗布され、伸縮性バンドが粘着剤を介してインナーパッドに着脱可能に連結される。
【００１１】
本発明の実施態様の他の一例は、複数のフックを有する雄型のメカニカルファスナが伸縮性バンドの自由伸縮部の肌非当接面に取り付けられ、伸縮性バンドがメカニカルファスナを介してインナーパッドに着脱可能に連結される。
【００１２】
本発明の実施態様の他の一例は、物品が、肌当接側に位置する透液性表面シートと、肌非当接側に位置する不透液性裏面シートと、表裏面シートの間に介在する吸液性第１コアとから形成され、インナーパッドが、透液性シートと、透液性シートに包被された吸液性第２コアとから形成されている。
【発明の効果】
【００１３】
本発明に係る使い捨て着用物品によれば、インナーパッドの端部が物品の肌当接面と伸縮性バンドとの間に介在し、バンドによってパッドが物品の肌当接面に押し当てられるから、バンドを介してパッドを物品の肌当接面に固定することができ、物品の着用中におけるパッドのずれ動きを防ぐことができる。この物品は、インナーパッドが排泄位置からずれることはないから、物品の着用中に排泄された体液をパッドに確実に吸収保持させることができ、パッドの外側への体液の漏れを防ぐことができる。
【００１４】
バンドの固定両端部が防漏シートの可動部に固着された着用物品は、インナーパッドの端部が物品の肌当接面と伸縮性バンドとの間に介在し、バンドによってパッドが物品の肌当接面に押し当てられるとともに、パッドの両側部が防漏シートの可動部に支持されるから、バンドと防漏シートの可動部とを介してパッドを物品の肌当接面に確実に固定することができ、物品の着用中におけるパッドのずれ動きを確実に防ぐことができる。この物品は、インナーパッドが排泄位置からずれることはないから、物品の着用中に排泄された体液をパッドに確実に吸収保持させることができ、パッドの外側への体液の漏れを防ぐことができる。
【００１５】
伸縮性バンドの自由伸縮部を横方向へ所定の倍率に伸長させた状態で該バンドの固定両端部が物品に固着された着用物品は、バンドの収縮力によってインナーパッドが物品の肌当接面に強く押し当てられるから、バンドを介してパッドを物品の肌当接面に確実に固定することができ、物品の着用中におけるパッドのずれ動きを確実に防ぐことができる。
【００１６】
剥離紙に被覆保護された粘着剤が自由伸縮部の肌非当接面に塗布された着用物品は、粘着剤を介して伸縮性バンドがインナーパッドに連結されるので、着用者の動作によってバンドに部分的な捩れや捲れが生じたとしても、パッドがバンドから外れることはなく、バンドを介してパッドを物品の肌当接面に確実に固定することができ、物品の着用中におけるパッドのずれ動きを確実に防ぐことができる。
【００１７】
複数のフックを有する雄型のメカニカルファスナが自由伸縮部の肌非当接面に取り付けられた着用物品は、メカニカルファスナを介して伸縮性バンドがインナーパッドに連結されるので、着用者の動作によってバンドに部分的な捩れや捲れが生じたとしても、パッドがバンドから外れることはなく、バンドを介してパッドを物品の肌当接面に確実に固定することができ、物品の着用中におけるパッドのずれ動きを確実に防ぐことができる。
【００１８】
物品が表裏面シートと吸液性第１コアとから形成され、インナーパッドが被覆シートと吸液性第２コアとから形成された着用物品は、多量の体液が排泄され、パッドが体液の全てを吸収しきれない場合でも、パッドを透過した体液が第１コアに吸収保持されるから、排泄された多量の体液を物品の外側に漏らすことなく吸収保持することができる。この物品は、インナーパッドに吸収しきれない体液が物品の肌当接面を拡散することはなく、物品の汚れを最小限にとどめることができる。
【発明を実施するための最良の形態】
【００１９】
添付の図面を参照し、本発明に係る使い捨て着用物品の詳細を説明すると、以下のとおりである。
【００２０】
図１，２は、前胴周り域２１の側から示す着用物品２０の部分破断斜視図と、前後胴周り域２１，２３の連結を解除した状態で示す図１の物品２０の展開斜視図とである。図３，４は、図２の状態から物品２０とパッド３２とを分離して示すそれらの部分破断斜視図と、股下域２２の一部を省略して示す図２の４−４線矢視断面図とであり、図５は、図２の５−５線端面図である。図１，２では、縦方向を矢印Ｌで示し、横方向を矢印Ｍで示す。なお、物品２０の肌当接面とは、着用者の肌に対向する面をいう。また、表面シート３６や裏面シート２６，３７、防漏シート４１の内面とは、第１コア３８に対向する面をいい、それらシート２６，３６，３７，４１の外面とは、コア３８に非対向の面をいう。被覆シート５９の内面とは、第２コア６０に対向する面をいい、シート５９の外面とは、コア６０に非対向の面をいう。
【００２１】
物品２０は、前胴周り域２１および後胴周り域２３と、それら胴周り域２１，２３の間に位置する股下域２２とを有し、前後胴周り域２１，２３に横方向へ延びる両端部２４と、前後胴周り域２１，２３間に縦方向へ延びる両側部２５とを有する。物品２０は、前後胴周り域２１，２３および股下域２２を画成してその全体形状を形作る不透液性第１裏面シート２６（不透液性裏面シート）と、裏面シート２６の内面に取り付けられた積層パネル２７とから形成されている。物品２０では、股下域２２の両側部２５が横方向内方へ向かって弧を画いている。物品２０は、図２に示すように、その平面形状が砂時計型を呈する。物品２０では、前後胴周り域２１，２３の両側部２５が合掌状に重なり合い、両側部２５が縦方向へ並ぶ複数の熱融着線２８を介して固着されている。物品２０は、図１に示すように、前後胴周り域２１，２３が連結されたパンツ型であり、胴周り開口２９と一対の脚周り開口３０とを有する。この物品２０は、その肌当接面に体液を吸収保持する吸収性インナーパッド３１を装着し、パッド３１ととも着用される。
【００２２】
前後胴周り域２１，２３には、パッド３１を物品２０の肌当接面に押し当てる一対の伸縮性バンド３２が伸縮可能に取り付けられている。両端部２４には、横方向へ延びる複数条の胴周り用弾性部材３３が伸縮可能に取り付けられている。両側部２５には、縦方向へ延びる複数条の脚周り用弾性部材３４が伸縮可能に取り付けられている。裏面シート２６には、互いに重なり合う２枚の疎水性繊維不織布３５ａ，３５ｂをラミネートした複合不織布が使用されている。胴周り用弾性部材３３は、裏面シート２６を形成する不織布３５ａに被覆され、横方向へ所定の倍率に伸長させた状態で不織布３５ａ，３５ｂに固着されている。脚周り用弾性部材３４は、裏面シート２６を形成する不織布３５ａ，３５ｂの間に介在し、縦方向へ所定の倍率に伸長させた状態でそれら不織布３５ａ，３５ｂに固着されている。
【００２３】
パネル２７は、肌当接側に位置する透液性表面シート３６と、肌非当接側に位置する不透液性第２裏面シート３７（不透液性裏面シート）と、表裏面シート３６，３７の間に介在する吸液性第１コア３８とから形成されている。パネル２７は、その平面形状が略矩形を呈し、前後胴周り域２１，２３間に延びている。パネル２７は、前後胴周り域２１，２３に位置して横方向へ延びる両端部３９と、物品２０の両側部２５に位置して縦方向へ延びる両側部４０とを有する。パネル２７では、それを形成する第２裏面シート３７の外面が第１裏面シート２６の内面に固着されている。パネル２７の両側部４０には、前後胴周り域２１，２３間に延びる一対の液抵抗性防漏シート４１が取り付けられている。
【００２４】
表面シート３６には、親水性繊維不織布４２が使用されている。裏面シート３７には、シリカやアルミナ等の無機物微細粒子を含有する通気不透液性の延伸プラスチックフィルム４３が使用されている。第１コア３８は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア３８は、その型崩れやポリマーの脱落を防止するため、全体がティッシュペーパーや親水性繊維不織布等の透液性シート（図示せず）に包被されている。コア３８は、透液性シートを介して表裏面シート３６，３７の内面に接合されている。ポリマーには、デンプン系、セルロース系、合成ポリマー系のそれが使用されている。
【００２５】
防漏シート４１には、疎水性繊維不織布４４が使用されている。防漏シート４１は、パネル２７の両側部４０に並行して縦方向へ延びる固定部４５と、固定部４５に並行して縦方向へ延びる可動部４６と、可動部４６の縦方向両側に位置して物品２０の横方向内方へ倒伏した固定両端縁部４７とを有する。可動部４６の上方には、縦方向へ延びる複数条の伸縮性弾性部材４８が伸縮可能に取り付けられている。弾性部材４８は、縦方向へ所定の倍率に伸長させた状態で可動部４６に固着されている。防漏シート４１では、物品２０が肌当接面を内側にして縦方向へ湾曲すると、弾性部材４８が収縮して可動部４６が表面シート３６の外面（物品２０の肌当接面）から上方へ起立し、可動部４６が体液の横漏れを防ぐ障壁を形成する。
【００２６】
パネル２７の両端部３９は、コア３８の端縁４９から縦方向外方へ延びる表裏面シート３６，３７の端部５０，５１から形成されている。両端部３９では、表裏面シート３６，３７の端部５０，５１が互いに重なり合った状態で、それらシート３６，３７の内面どうしが固着されている。防漏シート４１の固定両端縁部４７は、パネル２７の両端部３９（物品２０の前後胴周り域２１，２３）に位置し、その内面が表面シート３６の外面に固着されている。
【００２７】
パネル２７の両側部４０は、コア３８の側縁５２から横方向外方へ延びる表裏面シート３６，３７の側部５３，５４と防漏シート４１の固定部４５とから形成されている。両側部４０では、表裏面シート３６，３７の側部５３，５４と防漏シート４１の固定部４５とが互いに重なり合った状態で、表裏面シート３６，３７の内面どうしが固着され、表面シート３６の外面と防漏シート４１の内面とが固着されている。防漏シート４１の固定部４５のうちのパネル２７の側部４０から横方向外方へ延びる部分は、側部４０において横方向内方へ折り曲げられ、第１裏面シート２６と第２裏面シート３７との間に介在し、それらシート２６，３７の内外面に固着されている。
【００２８】
伸縮性バンド３２は、前胴周り域２１の横方向中央と後胴周り域２３の横方向中央とに配置され、表面シート３６の外面（物品２０の肌当接面）に位置してパネル２７を横切るように横方向へ延びている。バンド３２は、親水性または疎水性の繊維不織布５５と、不織布５５に伸縮可能に取り付けられた横方向へ延びる複数条の伸縮性弾性部材５６とから形成されている。弾性部材５６は、不織布５５に包被され、横方向へ所定の倍率に伸長させた状態で不織布５５に固着されている。バンド３２は、パネル２７の両側部４０（物品２０の両側部２５）に位置する固定両端部５７と、固定両端部５７の間に位置してパネル２７（物品２０）に非固着の自由伸縮部５８とから形成されている。固定両端部５７は、防漏シート４１の可動部４６の上方に固着されている。可動部４６に対する固定両端部５７の固着時では、自由伸縮部５８を横方向へ所定の倍率に伸長させた状態にある。自由伸縮部５８の伸長状態が解除されると、起立する防漏シート４１の可動部４６どうしがバンド３２の収縮力で横方向内方へ引っ張られる。可動部４６は、バンドの収縮力によって物品２０の横方向内方へ傾斜している（図５参照）。
【００２９】
インナーパッド３１は、透液性被覆シート５９と、被覆シート５９に包被された吸液性第２コア６０とから形成されている。パッド３１は、縦方向へ長い矩形を呈し、横方向へ延びる両端部６１と、縦方向へ延びる両側部６２とを有する。パッド３１は、縦方向の長さが物品２０のそれよりもわずかに小さく、横方向の長さが防漏シート４１の可動部４６の起立始点間の寸法とほぼ同一である。パッド３１では、コア６０の周縁から周方向外方へ延びる被覆シート５９の部分が互いに重なり合った状態で固着されている。被覆シート５９には、親水性繊維不織布６３が使用されている。第２コア６０は、第１コア３８と同一の混合物であり、全体がティッシュペーパーや親水性繊維不織布等の透液性シート（図示せず）に包被されている。コア６０は、透液性シートを介して被覆シート５９の内面に接合されている。
【００３０】
この物品２０を着用する手順の一例は、以下のとおりである。インナーパッド３１が物品２０の前後胴周り域２１，２３と股下域２２とに位置するように、パッド３１を防漏シート４１の間であって表面シート３６の外面に乗せた後、バンド３２の収縮力に抗してパッド３１の両端部６１をパネル２７とバンド３２との間に通し、パッド３１の両側部６２を防漏シート４１の可動部４６の内側に納め、パッド３１を物品２０に装着する。パッド３１を物品２０に装着すると、被覆シート５９の外面が表面シート３６の外面に当接し、両端部６１が前後胴周り域２１，２３に位置するとともに、両側部６２がパネル２７の両側部４０（物品２０の両側部２５）に位置する。物品２０にパッド３１を装着した後、胴周り開口２９から脚周り開口３０に着用者の両脚を通し、物品２０を着用者の胴部に引き上げる。物品２０の着用中に排泄された体液は、被覆シート５９を透過して第２コア６０に吸収保持される。パッド３１に吸収しきれない体液は、被覆シート５９と表面シート３６とを透過して第１コア３８に吸収保持される。
【００３１】
物品２０では、インナーパッド３１の両端部６１が表面シート３６の外面と伸縮性バンド３２との間に介在し、パッド３１の両側部６２が防漏シート４１の可動部４６の内側に納まり、両側部６２がバンド３２の収縮力によって横方向内方へ傾斜した可動部４６に覆われる。物品２０は、伸縮性バンド３２の固定両端部５７が防漏シート４１の可動部４６に固着され、可動部４６の捩れや捲れがバンド３２によって阻止される。インナーパッド３１は、バンド３２の収縮力によって表面シート３６の外面（物品２０の肌当接面）に押し当てられるとともに、両側部６２が防漏シート４１の可動部４６によって表面シート３６の外面（物品２０の肌当接面）に押し当てられる。パッド３１は、バンド３２と防漏シート４１の可動部４６とを介して物品２０の肌当接面に固定される。
【００３２】
物品２０は、バンド３２の収縮力によってパッド３１が物品２０の肌当接面に強く押し当てられ、パッド３１の両側部６２が防漏シート４１の可動部４６によって物品２０の肌当接面に押し当てられるから、バンド３２と防漏シート４１の可動部４６とを介してパッド３１を物品２０の肌当接面に確実に固定することができ、物品２０の着用中におけるパッド３１のずれ動きを確実に防ぐことができる。物品２０は、インナーパッド３１が排泄位置からずれることはないから、物品２０の着用中に排泄された体液をパッド３１に確実に吸収保持させることができ、パッド３１の外側への体液の漏れを防ぐことができる。
【００３３】
物品２０は、その着用中に多量の体液が排泄され、インナーパッド３１が体液の全てを吸収しきれない場合でも、パッド３１を透過した体液が物品２０の第１コア３８に吸収保持されるから、排泄された多量の体液を物品２０の外側に漏らすことなく吸収保持することができる。この物品２０は、インナーパッド３１に吸収しきれない体液が肌当接面を拡散することはなく、物品２０の汚れを最小限にとどめることができる。
【００３４】
図６，７は、他の一例として示す着用物品７０の斜視図と、物品７０とパッドとを分離して示すそれらの部分破断斜視図とである。図８，９は、股下域７２の一部を省略して示す図６の８−８線矢視断面図と、両側部７５の一部を省略して示す図６の９−９線端面図とであり、図１０は、図７の１０−１０線端面図である。図６，７では、縦方向を矢印Ｌで示し、横方向を矢印Ｍで示す。図９，１０では、バンド８０を形成する不織布９７を一層で示している。なお、物品７０の肌当接面とは、着用者の肌に対向する面をいう。また、第１表面シート７６や第１裏面シート７７、防漏シート８３の内面とは、第１コア７８に対向する面をいい、それらシート７６，７７，８３の外面とは、コア７８に非対向の面をいう。第２表面シート１０８や第２裏面シート１０９の内面とは、第２コア１１０に対向する面をいい、それらシート１０８，１０９の外面とは、コア１１０に非対向の面をいう。
【００３５】
物品７０は、前胴周り域７１および後胴周り域７３と、それら胴周り域７１，７３の間に位置する股下域７２とを有し、前後胴周り域７１，７３に横方向へ延びる両端部７４と、前後胴周り域７１，７３間に縦方向へ延びる両側部７５とを有する。物品７０は、肌当接側に位置する透液性第１表面シート７６と、肌非当接側に位置する不透液性第１裏面シート７７（不透液性裏面シート）と、表裏面シート７６，７７の間に介在してそれらシート７６，７７の内面に接合された吸液性第１コア７８とから形成されている。物品７０では、股下域７２の両側部７５が横方向内方へ向かって弧を画いている。物品７０は、その平面形状が砂時計型を呈する。この物品７０は、着用時に前後胴周り域７１，７３を連結するオープン型であり、その肌当接面に体液を吸収保持する吸収性インナーパッド７９を装着し、パッド７９ととも着用される。
【００３６】
前後胴周り域７１，７３には、パッド７９を物品７０の肌当接面に押し当てる一対の伸縮性バンド８０が伸縮可能に取り付けられている。両端部７４には、横方向へ延びる複数条の胴周り用弾性部材８１が伸縮可能に取り付けられている。両側部７５には、縦方向へ延びる複数条の脚周り用弾性部材８２が伸縮可能に取り付けられている。両側部７５には、前後胴周り域７１，７３間に延びる一対の液抵抗性防漏シート８３が取り付けられている。表面シート７６には、親水性繊維不織布８４が使用されている。裏面シート７７には、互いに重なり合う２枚の疎水性繊維不織布８５ａ，８５ｂをラミネートした複合不織布が使用されている。コア７８は、図１の物品７０のコア３８と同一の混合物であり、全体がティッシュペーパーや親水性繊維不織布等の透液性シート（図示せず）に包被されている。
【００３７】
防漏シート８３には、疎水性繊維不織布８６が使用されている。防漏シート８３は、物品７０の両側部７５に並行して縦方向へ延びる固定部８７と、固定部８７に並行して縦方向へ延びる可動部８８と、可動部８８の縦方向両側に位置して物品７０の横方向内方へ倒伏した固定両端縁部８９とを有する。可動部８８の上方には、縦方向へ延びる複数条の伸縮性弾性部材９０が伸縮可能に取り付けられている。弾性部材９０は、縦方向へ所定の倍率に伸長させた状態で可動部８８に固着されている。防漏シート８３では、物品７０が肌当接面を内側にして縦方向へ湾曲すると、弾性部材９０が収縮して可動部８８が表面シート７６の外面（物品７０の肌当接面）から上方へ起立し、可動部８８が体液の横漏れを防ぐ障壁を形成する。
【００３８】
両端部７４は、コア７８の端縁９１から縦方向外方へ延びる表裏面シート７６，７７の端部９２，９３から形成されている。両端部７４では、表裏面シート７６，７７の端部９２，９３が互いに重なり合った状態で、それらシート７６，７７の内面どうしが固着されている。防漏シート８３の固定両端縁部８９は、両端部７４（物品７０の前後胴周り域７１，７３）に位置してその内面が表面シート７６の外面に固着されている。胴周り用弾性部材８１は、裏面シート７７を形成する不織布８５ａ，８５ｂの間に介在し、横方向へ所定の倍率に伸長させた状態で不織布８５ａ，８５ｂに固着されている。
【００３９】
両側部７５は、コア７８の側縁９４から横方向外方へ延びる表裏面シート７６，７７の側部９５，９６と防漏シート８３の固定部８７とから形成されている。両側部７５では、表面シート７６の側部９５がコア７８の側縁９４から横方向外方へわずかに延び、側部９５からさらに横方向外方へ裏面シート７７の側部９６と防漏シート８３の固定部８７とが延びている。両側部７５では、表裏面シート７６，７７の側部９５，９６と防漏シート８３の固定部８７とが重なり合い、表裏面シート７６，７７の内面どうしが固着され、表裏面シート７６，７７の内外面と防漏シート８３の内面とが固着されている。脚周り用弾性部材８２は、裏面シート７７を形成する不織布８５ａ，８５ｂの間に介在し、縦方向へ所定の倍率に伸長させた状態でそれら不織布８５ａ，８５ｂに固着されている。
【００４０】
伸縮性バンド８０は、前胴周り域７１の横方向中央と後胴周り域７３の横方向中央とに配置され、表面シート７６の外面（物品７０の肌当接面）に位置して横方向へ延びている。バンド８０は、親水性または疎水性の繊維不織布９７と、不織布９７に伸縮可能に取り付けられた横方向へ延びる複数条の伸縮性弾性部材９８とから形成されている。弾性部材９８は、不織布９７に包被され、横方向へ所定の倍率に伸長させた状態で不織布９７に固着されている。バンド８０は、物品７０の両側部７５に位置する固定両端部９９と、固定両端部９９の間に位置して物品７０に非固着の自由伸縮部１００とから形成されている。固定両端部９９は、表面シート７６と防漏シート８３の固定部８７との間に介在し、それらシート７６，８７の内外面に固着されている。固定両端部９９の固着時では、自由伸縮部１００を横方向へ所定の倍率に伸長させた状態にある。表面シート７６の外面に対向する自由伸縮部１００の肌非当接面には、剥離紙１０１に被覆保護された粘着剤１０２が塗布されている。なお、自由伸縮部１００の肌非当接面には、粘着剤１０２ではなく、複数のフックを有する雄型のメカニカルファスナが取り付けられていてもよい。
【００４１】
後胴周り域７３の両側部７５には、プラスチックフィルムから形成された可撓性のテープファスナ１０３が取り付けられている。テープファスナ１０３は、横方向へ延びる固定端部１０４と自由端部１０５とを有する。固定端部１０４は、裏面シート７７の側部９６と防漏シート８３の固定部８７との間に介在し、それらシート７７，８７の内面に固着されている。自由端部１０５の内面には、複数のフックを有する雄型のメカニカルファスナ１０６が取り付けられている。なお、自由端部１０５には、メカニカルファスナ１０６ではなく、粘着剤が塗布されていてもよい。
【００４２】
前胴周り域７１には、テープファスナ１０３の自由端部１０５を着脱可能に止着する可撓性のターゲットテープ１０７が取り付けられている（図１１参照）。ターゲットテープ１０７には、プラスチックフィルムとフィルムから突出する複数のループとから形成された雌型のメカニカルファスナが使用されている。ターゲットテープ１０７は、横長矩形を有し、裏面シート７７の外面に固着されている。テープファスナ１０３の自由端部１０５に粘着剤を塗布する場合は、ターゲットテープ１０７にプラスチックフィルムが使用される。
【００４３】
インナーパッド７９は、透液性第２表面シート１０８と、不透液性第２裏面シート１０９と、表裏面シート１０８，１０９の間に介在する吸液性第２コア１１０とから形成されている。パッド７９は、縦方向へ長い矩形を呈し、横方向へ延びる両端部１１１と、縦方向へ延びる両側部１１２とを有する。パッド７９は、縦方向の長さが物品７０のそれよりもわずかに小さく、横方向の長さが防漏シート８３の可動部８８の起立始点間の寸法とほぼ同一である。パッド７９では、コア１１０の周縁から周方向外方へ延びる表裏面シート１０８，１０９の部分が互いに重なり合った状態で固着されている。表面シート１０８には、親水性繊維不織布１１３が使用されている。裏面シート１０９には、疎水性繊維不織布１１４が使用されている。コア１１０は、図１のパッド３１のコア６０と同一の混合物であり、全体がティッシュペーパーや親水性繊維不織布等の透液性シート（図示せず）に包被されている。コア１１０は、透液性シートを介して表裏面シート１０８，１０９の内面に接合されている。
【００４４】
図１１は、着用途中の状態を示す図６の物品７０の斜視図である。この物品７０を着用する手順の一例は、以下のとおりである。伸縮性バンド８０から剥離紙１０１を剥がして粘着剤１０２を露出させ、インナーパッド７９が物品７０の前後胴周り域７１，７３と股下域７２とに位置するように、パッド７９を防漏シート８３の間であって表面シート７６の外面に乗せる。バンド８０の収縮力に抗してパッド７９の両端部１１１を表面シート７６とバンド８０との間に通した後、粘着剤１０２を介してバンド８０の肌非当接面を表面シート１０８の外面に貼付してバンド８０とパッド７９とを連結し、パッド７９を物品７０に装着する。なお、伸縮性バンド８０の肌非当接面に雄型のメカニカルファスナを取り付ける場合は、フックが表面シート１０８を形成する不織布１１３の繊維に引っ掛かることでバンド８０とパッド７９とが連結される。パッド７９を物品７０に装着すると、裏面シート１０９の外面が表面シート７６の外面に当接し、両端部１１１が前後胴周り域７１，７３に位置するとともに、両側部１１２が物品７０の両側部７５に位置する。物品７０では、パッド７９がバンド８０の収縮力によって表面シート７６の外面（物品７０の肌当接面）に押し当てられるとともに、パッド７９の両側部１１２が防漏シート８３の可動部８８に支持される。パッド７９は、バンド８０と防漏シート８３の可動部８８とを介して物品７０の肌当接面に固定される。
【００４５】
物品７０にパッドを装着した後、物品７０の股下域７２に着用者の臀部を乗せ、股下域７２を折り曲げて前胴周り域７１を着用者の腹部の上に乗せる。次に、後胴周り域７３の両側部７５が着用者の腹部の上に位置するように、後胴周り域７３の両側部７５を前胴周り域７１の両側部７４の外側に重ね合わせ、メカニカルファスナ１０６を介してテープファスナ１０３の自由端部１０５をターゲットテープ１０７に止着し、前胴周り域７１と後胴周り域７３とを連結する。前後胴周り域７１，７３が連結された物品７０には、胴周り開口と一対の脚周り開口とが形成される（図示せず）。物品７０の着用中に排泄された体液は、表面シート１０８を透過して第２コア１１０に吸収保持される。パッド７９に吸収しきれずにパッド７９の周縁から漏出した体液は、表面シート７６を透過して第１コア７８に吸収保持される。
【００４６】
物品７０は、インナーパッド７９の両端部１１１が表面シート７６の外面と伸縮性バンド８０との間に介在し、バンド８０の収縮力によってパッド７９が表面シート７６（物品７０の肌当接面）に強く押し当てられ、さらに、パッド７９の両側部１１２が防漏シート８３の可動部８８に支持されるから、バンド８０と防漏シート８３の可動部８８とを介してパッド７９を物品７０の肌当接面に確実に固定することができ、物品７０の着用中におけるパッド７９のずれ動きを確実に防ぐことができる。物品７０は、粘着剤１０２を介してバンド８０がインナーパッド７９に連結されるので、着用者の動作によってバンド８０に部分的な捩れや捲れが生じたとしても、パッド７９がバンド８０から外れることはない。物品７０は、インナーパッド７９が排泄位置からずれることはないから、物品７０の着用中に排泄された体液をパッド７９に確実に吸収保持させることができ、パッド７９の外側への体液の漏れを防ぐことができる。
【００４７】
物品７０は、その着用中に多量の体液が排泄され、インナーパッド７９が体液の全てを吸収しきれない場合でも、体液が物品７０の第１コア７８に吸収保持されるから、排泄された多量の体液を物品７０の外側に漏らすことなく吸収保持することができる。この物品７０は、インナーパッド７９に吸収しきれない体液が肌当接面を拡散することはなく、物品７０の汚れを最小限にとどめることができる。なお、複数のフックを有する雄型のメカニカルファスナが伸縮性バンド８０の自由伸縮部１００の肌非当接面に取り付けられた場合は、フックを介してバンド８０がインナーパッド７９に連結されるので、着用者の動作によってバンド８０に部分的な捩れや捲れが生じたとしても、パッド７９がバンド８０から外れることはなく、バンド８０を介してパッド７９を物品７０の肌当接面に確実に固定することができ、物品７０の着用中におけるパッド７９のずれ動きを確実に防ぐことができる。
【００４８】
図１の物品２０では、図６のそれと同様に、伸縮性バンド３２の自由伸縮部５８の肌非当接面に剥離紙に被覆保護された粘着剤が塗布されていてもよく、自由伸縮部の肌非当接面に複数のフックを有する雄型のメカニカルファスナが取り付けられていてもよい。また、図１の物品２０では、伸縮性バンド３２の固定両端部５７が表面シート３７と防漏シート４１の固定部４５との間に介在し、それらシート３７，４１の内外面に固着されていてもよい。図６の物品７０では、図１のそれと同様に、伸縮性バンド８０の固定両端部９９が防漏シート８３の可動部８８に固着されていてもよい。図１，６の物品２０，７０では、伸縮性バンド３２，８０の自由伸縮部５８，１００を横方向へ伸長することなくバンド３２，８０の固定両端部５７，９９が物品２０，７０に固着されていてもよい。図１，６の物品２０，７０では、伸縮性バンド３２，８０が前後胴周り域２１，７１，２３，７３のうちのいずれか一方のみに取り付けられていてもよい。
【００４９】
表面シート３６，７６，１０８や被覆シート５９には、親水性繊維不織布４２，６３，８４，１１３の他に、多数の開孔を有する疎水性繊維不織布を使用することができる。裏面シート２６，３７，７７，１０９や防漏シート４１，８３には、通気不透液性プラスチックフィルムを使用することもでき、通気不透液性プラスチックフィルムと疎水性繊維不織布とをラミネートした複合シートを使用することもできる。裏面シート２６，３７，７７，１０９や防漏シート４１，８３には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。伸縮性バンド３２，８０には、熱可塑性エラストマー樹脂を溶融、紡糸して作られる伸縮性繊維から形成された伸縮性繊維不織布を使用することもできる。バンド３２，８０には、伸縮性繊維不織布の少なくとも片面に捲縮繊維から形成された親水性繊維不織布を重ね合わせた複合不織布を使用することもできる。
【００５０】
繊維不織布には、スパンレース、ニードルパンチ、メルトブローン、サーマルボンド、スパンポンド、ケミカルボンドの各製法により製造された不織布を使用することができる。親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００５１】
シート２６，３６，３７，４１，５９，７６，７７，１０８，１０９どうしの固着やシート３６，３７，５９，７６，７７，１０８，１０９に対するコア３８，６０，７８，１１０の接合、シート２６，４１，７７，８３や不織布５５，９７に対する弾性部材３３，３４，４８，５６，８１，８２，９０，９８の固着には、接着剤を使用することができる。接着剤は、シート２６，３６，３７，４１，５９，７６，７７，１０８，１０９や不織布５５，９７にスパイラル状や波状、ジグザグ状、ドット状、縞状のうちのいずれかの態様で塗布されていることが好ましい。接着剤をそれらの態様でシート２６，３６，３７，４１，５９，７６，７７，１０８，１０９や不織布５５，９７に塗布すると、それらシート２６，３６，３７，４１，５９，７６，７７，１０８，１０９どうしが断続的に固着され、コア３８，６０，７８，１１０がシート３６，３７，５９，７６，７７，１０８，１０９に断続的に接合されるとともに、弾性部材３３，３４，４８，５６，８１，８２，９０，９８がシート２６，４１，７７，８３や不織布５５，９７に断続的に固着される。接着剤には、ホットメルト型接着剤やアクリル系接着剤、ゴム系接着剤のいずれかを使用することができる。
【図面の簡単な説明】
【００５２】
【図１】前胴周り域の側から示す着用物品の部分破断斜視図。
【図２】前後胴周り域の連結を解除した状態で示す図１の物品の展開斜視図。
【図３】物品とパッドとを分離して示すそれらの部分破断斜視図。
【図４】図２の４−４線矢視断面図。
【図５】図２の５−５線端面図。
【図６】他の一例として示す着用物品の斜視図。
【図７】物品とパッドとを分離して示すそれらの部分破断斜視図。
【図８】図６の８−８線矢視断面図。
【図９】図６の９−９線端面図。
【図１０】図７の１０−１０線端面図。
【図１１】着用途中の状態を示す図６の物品の斜視図。
【符号の説明】
【００５３】
２０    使い捨て着用物品
２１    前胴周り域
２２    股下域
２３    後胴周り域
２４    両端部
２５    両側部
２６    不透液性第１裏面シート（不透液性裏面シート）
３１    吸収性インナーパッド
３２    伸縮性バンド
３６    透液性表面シート
３７    不透液性第２裏面シート（不透液性裏面シート）
３８    吸液性第１コア
４１    液抵抗性防漏シート
４５    固定部
４６    可動部
４７    固定両端縁部
４８    伸縮性弾性部材
５６    伸縮性弾性部材
５７    固定両端部
５８    自由伸縮部
５９    透液性被覆シート
６０    吸液性第２コア
７０    使い捨て着用物品
７１    前胴周り域
７２    股下域
７３    後胴周り域
７４    両端部
７５    両側部
７６    透液性第１表面シート（透液性表面シート）
７７    不透液性第１裏面シート（不透液性裏面シート）
７８    吸液性第１コア
７９    吸収性インナーパッド
８０    伸縮性バンド
８３    液抵抗性防漏シート
８７    固定部
８８    可動部
８９    固定両端縁部
９０    伸縮性弾性部材
９８    伸縮性弾性部材
９９    固定両端部
１００  自由伸縮部
１０１  剥離紙
１０２  粘着剤
【図１】
2006167004.tif 000003
【図２】
2006167004.tif 000004
【図３】
2006167004.tif 000005
【図４】
2006167004.tif 000006
【図５】
2006167004.tif 000007
【図６】
2006167004.tif 000008
【図７】
2006167004.tif 000009
【図８】
2006167004.tif 000010
【図９】
2006167004.tif 000011
【図１０】
2006167004.tif 000012
【図１１】
2006167004.tif 000013